【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
プレイリスト情報に従って、プライマリビデオストリーム及びセカンダリビデオストリームを用いたピクチャインピクチャ再生を行う再生装置であって、
プライマリビデオストリーム、セカンダリビデオストリームを記録媒体から読み出す読出手段と、
プライマリビデオストリームにより構成されるピクチャの中に、セカンダリビデオストリームにより構成されるピクチャを合成することによりピクチャインピクチャを実現する合成手段と、
を備え、
前記プレイリスト情報は、複数ビデオストリームのそれぞれに対し、再生区間を定義する情報であり、メインパス情報、サブパス情報、メタデータを含み、
前記メインパス情報は、
複数ビデオストリームのうち、プライマリビデオストリームに対して、主たる再生区間を定義する情報であり、
前記サブパス情報は、
複数ビデオストリームのうち、セカンダリビデオストリームに対して、従たる再生区間を定義する情報であり、従たる再生区間情報は同期情報を含み、
前記メタデータはピクチャインピクチャのためのメタデータであり、当該メタデータは、主たる再生区間の何れかに対応するデータブロックによって構成され、データブロックは、ヘッダと、エントリーとを含み、
前記データブロックのヘッダは、セカンダリビデオストリームのレファレンスと、主たる再生区間のレファレンスと、タイムラインタイプ情報とを含み、
前記エントリーは、画面合成の時期を示すタイムスタンプと、画面合成におけるセカンダリビデオの水平座標及び垂直座標と、セカンダリビデオのスケール率とを規定し、
前記再生装置は、
現在の再生時点に対応するタイムスタンプをもつエントリーに規定されている水平位置及び垂直位置、スケール率に従ってセカンダリビデオを表示させるよう合成手段を制御し、
タイムラインタイプが第１タイプである場合、タイムスタンプは、従たる再生区間の開始時点を主たる再生区間に写像することで得られる写像点を含む時間軸上に配置され、
タイムラインタイプが第２タイプである場合、タイムスタンプは、従たる再生区間の時間軸上に配置される
ことを特徴とする再生装置。
【請求項２】
前記データブロックにおけるヘッダは、合成部によるクロマキー合成の許否を規定するクロマキー許否フラグと、クロマキー上限値とを含み、
前記合成手段は、
データブロックにおけるヘッダが、クロマキー合成の許可を示している場合、プライマリビデオストリームを構成する個々のピクチャデータと、セカンダリビデオストリームを構成する個々のピクチャデータとのクロマキー合成を行い、
セカンダリビデオにおける複数の画素のうちその輝度が、データブロックにおけるヘッダのクロマキー上限値を下回るものを透過する
ことを特徴とする請求項１記載の再生装置。
【請求項３】
前記データブロックのヘッダは、トリック再生許可フラグを含み、トリック再生許可フラグはピクチャインピクチャのためのウィンドウを開き続けるか閉じるかのコンテンツプロバイダの意思を示し、
前記制御手段は、ユーザからの操作に応じて、プライマリビデオストリームについてのトリック再生を実行し、
カレントの主たる再生区間に対応するデータブロックのヘッダに含まれるトリック再生許可フラグがウィンドウを閉じるよう設定されている場合、特殊再生の開始後はセカンダリビデオのためのウィンドウを閉じる
ことを特徴とする請求項１記載の再生装置。
【請求項４】
記録方法であって、
プレイリスト情報を作成する作成ステップと、
プレイリスト情報と、プライマリビデオストリームと、セカンダリビデオストリームとを、記録媒体に記録する記録ステップとを含み、
前記プレイリスト情報は、複数ビデオストリームのそれぞれに対し、再生区間を定義する情報であり、メインパス情報、サブパス情報、メタデータを含み、
前記メインパス情報は、
複数ビデオストリームのうち、プライマリビデオストリームに対して、主たる再生区間を定義する情報であり、
前記サブパス情報は、
複数ビデオストリームのうち、セカンダリビデオストリームに対して、従たる再生区間を定義する情報であり、従たる再生区間情報は同期情報を含み、
前記メタデータはピクチャインピクチャのためのメタデータであり、当該メタデータは、主たる再生区間の何れかに対応するデータブロックによって構成され、データブロックは、ヘッダと、エントリーとを含み、
前記データブロックのヘッダは、セカンダリビデオストリームのレファレンスと、主たる再生区間のレファレンスと、タイムラインタイプ情報とを含み、
前記エントリーは、画面合成の時期を示すタイムスタンプと、画面合成におけるセカンダリビデオの水平座標及び垂直座標と、セカンダリビデオのスケール率とを規定し、
前記タイムラインタイプ情報は、第１タイプに設定されることで、タイムスタンプは、従たる再生区間の開始時点を主たる再生区間に写像することで得られる写像点を含む時間軸上に配置されることを示し、
前記タイムラインタイプは、第２タイプに設定されることで、タイムスタンプは、従たる再生区間の時間軸上に配置されることを示す
ことを特徴とする記録方法。
【手続補正２】
【補正対象書類名】明細書
【補正対象項目名】発明の名称
【補正方法】変更
【補正の内容】
【発明の名称】再生装置、記録方法
【手続補正３】
【補正対象書類名】明細書
【補正対象項目名】０００７
【補正方法】変更
【補正の内容】
【０００７】
しかしながら、セカンダリビデオの同期再生を何時開始するかという同期タイミングの決め方については、選択の余地が存在せず、ユーザにとっての対話性が充実しているとはいえなかった。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明の目的は、セカンダリビデオの同期再生を何時開始するかという同期タイミングの決め方について、選択の余地を広げることができる再生装置を提供することである。
【手続補正６】
【補正対象書類名】明細書
【補正対象項目名】００１０
【補正方法】変更
【補正の内容】
【００１０】
上記目的を達成するため、本発明にかかる再生装置は、プレイリスト情報に従って、プライマリビデオストリーム及びセカンダリビデオストリームを用いたピクチャインピクチャ再生を行う再生装置であって、
プライマリビデオストリーム、セカンダリビデオストリームを記録媒体から読み出す読出手段と、
プライマリビデオストリームにより構成されるピクチャの中に、セカンダリビデオストリームにより構成されるピクチャを合成することによりピクチャインピクチャを実現する合成手段と、
を備え、
前記プレイリスト情報は、複数ビデオストリームのそれぞれに対し、再生区間を定義する情報であり、メインパス情報、サブパス情報、メタデータを含み、
前記メインパス情報は、
複数ビデオストリームのうち、プライマリビデオストリームに対して、主たる再生区間を定義する情報であり、
前記サブパス情報は、
複数ビデオストリームのうち、セカンダリビデオストリームに対して、従たる再生区間を定義する情報であり、従たる再生区間情報は同期情報を含み、
前記メタデータはピクチャインピクチャのためのメタデータであり、当該メタデータは、主たる再生区間の何れかに対応するデータブロックによって構成され、データブロックは、ヘッダと、エントリーとを含み、
前記データブロックのヘッダは、セカンダリビデオストリームのレファレンスと、主たる再生区間のレファレンスと、タイムラインタイプ情報とを含み、
前記エントリーは、画面合成の時期を示すタイムスタンプと、画面合成におけるセカンダリビデオの水平座標及び垂直座標と、セカンダリビデオのスケール率とを規定し、
前記再生装置は、
現在の再生時点に対応するタイムスタンプをもつエントリーに規定されている水平位置及び垂直位置、スケール率に従ってセカンダリビデオを表示させるよう合成手段を制御し、
タイムラインタイプが第１タイプである場合、タイムスタンプは、従たる再生区間の開始時点を主たる再生区間に写像することで得られる写像点を含む時間軸上に配置され、
タイムラインタイプが第２タイプである場合、タイムスタンプは、従たる再生区間の時間軸上に配置される
ことを特徴としている。
【手続補正７】
【補正対象書類名】明細書
【補正対象項目名】００１１
【補正方法】変更
【補正の内容】
【００１１】
本発明によれば、ピクチャインピクチャを開始する際の基準を、プライマリビデオ側の時間軸とするか、セカンダリビデオ側の時間軸とするかをタイムラインタイプ情報に基づき決定するので、プライマリビデオにおける絵柄にあわせてセカンダリビデオの位置を決めるか、ユーザ操作に反応してセカンダリビデオを動かすか等のオーサリング担当者の思惑を、再生装置の動作に反映することができる。
【手続補正８】
【補正対象書類名】明細書
【補正対象項目名】００１２
【補正方法】削除
【補正の内容】